(57)【要約】【課題】表示する画像の明るさを所望の明るさに近づける。【解決手段】光源から射出された光の状態を示す光状態情報を推定し、該推定した光状態情報に基づいて、光源の出力を調節する調節部７０を備える。【選択図】図２
2014132288.tif 000002
【特許請求の範囲】
【請求項１】
光源から射出された光の状態を示す光状態情報を推定し、該推定した光状態情報に基づいて、前記光源の出力を調節する調節部を備えるプロジェクター。
【請求項２】
前記光源から射出された光の明るさに関する光明るさ情報を検出する光検出部を更に備え、
前記調節部は、前記光状態情報に基づいて、前記光検出部が検出した光明るさ情報を補正し、該補正した光明るさ情報を参照して前記光源の出力を調節する請求項１に記載のプロジェクター。
【請求項３】
前記調節部は、前記光検出部が検出した光明るさ情報を参照して、前記光状態情報を推定する請求項２に記載のプロジェクター。
【請求項４】
前記調節部は、前記光検出部が検出した光明るさ情報を参照して、前記光の波長変化を推定し、該推定した光の波長変化に基づいて前記光源の出力を調節する請求項３に記載のプロジェクター。
【請求項５】
前記調節部は、前記光検出部が検出した光明るさ情報を参照して、前記光の偏光状態の変化を推定し、該推定した光の偏光状態の変化に基づいて前記光源の出力を調節する請求項３または４に記載のプロジェクター。
【請求項６】
前記光検出部は、スクリーンに投影する光とは異なる光の明るさに関する光明るさ情報を検出する請求項２から５のいずれか一項に記載のプロジェクター。
【請求項７】
前記光源から入射された光を異なる偏光の光に分離する偏光分離素子を更に備え、
前記光検出部は、偏光分離素子が分離した光のうち、スクリーンに投影する光とは異なる光の明るさに関する光明るさ情報を検出する請求項６に記載のプロジェクター。
【請求項８】
温度を示す温度情報を検出する温度検出部を更に備え、
前記調節部は、前記温度検出部が検出した温度情報を参照して、前記光状態情報を推定し、該推定した光状態情報に基づいて前記光源の出力を調節する請求項１または２に記載のプロジェクター。
【請求項９】
温度を示す温度情報を検出する温度検出部を更に備え、
前記調節部は、前記光検出部が検出した光明るさ情報と前記温度検出部が検出した温度情報とを参照して、前記光状態情報を推定する請求項２に記載のプロジェクター
【請求項１０】
光源から射出された光の状態を示す光状態情報を推定し、該推定した光状態情報に基づいて、前記光源の出力を調節する手順を有するプロジェクターの制御方法。
【発明の詳細な説明】
【技術分野】
【０００１】
本発明は、プロジェクター及びその制御方法に関する。
【背景技術】
【０００２】
プロジェクターは、光源、光変調装置、及び投射レンズを備えており、光源から射出された光を光変調装置で変調し、変調した光を投射レンズでスクリーンに投射することにより、スクリーン上に画像を表示する。従来のプロジェクターは、光源としてハロゲンランプ、メタルハライドランプ、高圧水銀ランプを備えるが、最近はレーザーダイオードとか発光ダイオードとかの固体光源を備えるものの開発がされている。
【０００３】
特許文献１には、励起光を射出する固体光源と、上記励起光を蛍光に変換する蛍光体と、該蛍光体からの光を変調する光変調装置と、該光変調装置で変調された光をスクリーンに投射する投射光学系とを備えるプロジェクターが開示されている。また、特許文献１のプロジェクターにおいて、上記蛍光体を介した上記励起光及び上記蛍光体で変換された上記蛍光の少なくとも一方を検出する光センサーを備えることが開示されている。また、特許文献１のプロジェクターにおいて、上記光センサーの検出結果に応じて、上記固体光源及び上記光変調装置の少なくとも一方を制御する制御装置が開示されている。
【先行技術文献】
【特許文献】
【０００４】
【特許文献１】特開２０１２−４７９５１号公報
【発明の概要】
【発明が解決しようとする課題】
【０００５】
光源が劣化することにより、光源から出射される光の特性（例えば、波長、偏光）が変化し、これによって、プロジェクターで表示する画像の明るさが所望の明るさとは異なってしまうという問題がある。
【０００６】
そこで本発明の一態様は、上記問題に鑑みてなされたものであり、表示する画像の明るさを所望の明るさに近づけることを可能とするプロジェクター及びその制御方法を提供することを課題とする。
【課題を解決するための手段】
【０００７】
（１）本発明の一態様は、光源から射出された光の状態を示す光状態情報を推定し、該推定した光状態情報に基づいて、前記光源の出力を調節する調節部を備えるプロジェクターである。これにより、光源が劣化することにより光源から出射される光の特性が変化しても、プロジェクターは、光状態情報に基づいて光源の出力を調節することで、表示する画像の明るさを所望の明るさに近づけることができる。
【０００８】
（２）また、本発明の一態様は、上述のプロジェクターであって、前記光源から射出された光の明るさに関する光明るさ情報を検出する光検出部を更に備え、前記調節部は、前記光状態情報に基づいて、前記光検出部が検出した光明るさ情報を補正し、該補正した光明るさ情報を参照して前記光源の出力を調節する。これにより、プロジェクターは、光検出部が検出した光明るさ情報の誤差を補正し、補正した光明るさ情報を参照して光源の出力を調節することで、表示する画像の明るさを所望の明るさに近づけることができる。
【０００９】
（３）また、本発明の一態様は、上述のプロジェクターであって、前記調節部は、前記光検出部が検出した光明るさ情報を参照して、前記光状態情報を推定する。これにより、プロジェクターは、光明るさ情報を参照して、光状態情報を推定し、該推定した光状態情報に基づいて、光検出部が検出した光明るさ情報を補正し、該補正した光明るさ情報を参照して光源の出力を調節することができる。
【００１０】
（４）また、本発明の一態様は、上述のプロジェクターであって、前記調節部は、前記光検出部が検出した光明るさ情報を参照して、前記光の波長変化を推定し、該推定した光の波長変化に基づいて前記光源の出力を調節する。これにより、プロジェクターは、光の波長変化による光源の出力のずれを調整することで、表示する画像の明るさを所望の明るさに近づけることができる。
【００１１】
（５）また、本発明の一態様は、上述のプロジェクターであって、前記調節部は、前記光検出部が検出した光明るさ情報を参照して、前記光の偏光状態の変化を推定し、該推定した光の偏光状態の変化に基づいて前記光源の出力を調節する。これにより、プロジェクターは、光の偏光変化による光源の出力のずれを調整することで、表示する画像の明るさを所望の明るさに近づけることができる。
【００１２】
（６）また、本発明の一態様は、上述のプロジェクターであって、前記光検出部は、スクリーンに投影する光とは異なる光の明るさに関する光明るさ情報を検出する。これにより、プロジェクターは、スクリーンに投影する光とは異なる光の明るさに関する光明るさ情報を光状態情報に基づいて補正し、補正した光明るさ情報を参照して光源の出力を調節することができる。これにより、表示する画像の明るさを所望の明るさに近づけることができる。
【００１３】
（７）また、本発明の一態様は、上述のプロジェクターであって、前記光源から入射された光を異なる偏光の光に分離する偏光分離素子を更に備え、前記光検出部は、偏光分離素子が分離した光のうち、スクリーンに投影する光とは異なる光の明るさに関する光明るさ情報を検出する。これにより、プロジェクターは、光検出部がスクリーンに投影されない偏光の光について光明るさ情報を検出するので、スクリーンに投影する光の光量を下げずに光明るさ情報を検出することができる。
【００１４】
（８）また、本発明の一態様は、上述のプロジェクターであって、環境温度を示す温度情報を検出する温度検出部を更に備え、前記調節部は、前記温度検出部が検出した温度情報を参照して、前記光状態情報を推定し、該推定した光状態情報に基づいて前記光源の出力を調節する。これにより、プロジェクターは、温度情報を参照して光状態情報を推定することができるので、温度変化に起因した光の波長シフトによる光明るさ情報の誤差を補正することができる。
【００１５】
（９）また、本発明の一態様は、温度を示す温度情報を検出する温度検出部を更に備え、前記調節部は、前記光検出部が検出した光明るさ情報と前記温度検出部が検出した温度情報とを参照して、前記光状態情報を推定する。これにより、プロジェクターは、光明るさ情報と前記温度検出部が検出した温度情報の双方を参照して光状態情報を推定するので、光状態情報の精度を向上させることができる。それにより、表示する画像の明るさを所望の明るさにより近づけることができる。
【００１６】
（１０）また、本発明の一態様は、調節部が、光源から射出された光の状態を示す光状態情報を推定し、該推定した光状態情報に基づいて、前記光源の出力を調節する手順を有するプロジェクターの制御方法である。これにより、光源が劣化することにより光源から出射される光の特性が変化しても、調節部が光状態情報に基づいて光源の出力を調節することで、表示する画像の明るさを所望の明るさに近づけることができる。
【図面の簡単な説明】
【００１７】
【図１】第１の実施形態におけるプロジェクターの構成を示す概略構成図である。
【図２】第１の実施形態における制御部の構成を示す概略ブロック図である。
【図３】第１の実施形態における信号処理部の構成を示す概略ブロック図である。
【図４】調節部による補正前と補正後における、光センサーの出力と光センサーの減衰率との関係を比較したグラフの一例である。
【図５】第１の実施形態における制御部の処理の流れの一例を示すフローチャートである。
【図６】第２の実施形態におけるプロジェクターの構成を示す概略構成図である。
【図７】第２の実施形態における制御部の構成を示す概略ブロック図である。
【図８】第２の実施形態における信号処理部の構成を示す概略ブロック図である。
【図９】第２の実施形態における制御部の処理の流れの一例を示すフローチャートである。
【図１０】第３の実施形態におけるプロジェクターの構成を示す概略構成図である。
【図１１】第３の実施形態における制御部の構成を示す概略ブロック図である。
【図１２】第３の実施形態における信号処理部の構成を示す概略ブロック図である。
【図１３】第３の実施形態における制御部の処理の流れの一例を示すフローチャートである。
【発明を実施するための形態】
【００１８】
＜第１の実施形態＞
以下、本発明の各実施形態について、図面を参照して詳細に説明する。レーザダイオード（以下、ＬＤともいう）が劣化すると、光源の波長が変化する。具体的には、例えばＬＤが劣化して蛍光板に当たる光量が変わると（例えば、光量が落ちると）蛍光板から出射される光の波長が変化する。）ここで、ＬＤの劣化前に光センサーが検出する光量を基準としてＬＤの劣化後に光センサーが検出する光量の割合をセンサー検出光量の割合（例えば、７０％）とする。また、ＬＤの劣化前に液晶パネルに入射する光量を基準として、ＬＤの劣化後に液晶パネルに入射する光量の割合を実際の光量の割合（例えば、８０％）とする。この場合、例えば、実際の光量の割合が８０％の場合に、光源の波長がずれて光センサーの感度が落ちることでセンサー検出光量の割合が７０％となる場合がある。このように光センサーの分光感度の影響で、センサー検出光量の割合が実際の光量の割合と異なってしまう。これにより、プロジェクターは画像を所望の明るさで表示できないという課題がある。それに対し、第１の実施形態におけるプロジェクター５０は、センサー検出光量を補正し、補正した後のセンサー検出光量を参照して光源の出力を調節する。これにより、プロジェクター５０は、表示する画像の明るさを所望の明るさに近づけることができる。
【００１９】
図１は、第１の実施形態におけるプロジェクター５０の構成を示す概略ブロック図である。プロジェクター５０は、図１に示すように、青色光用照明装置５１と、黄色光用照明装置５２と、ダイクロイックミラー２５と、導光光学系３Ｒと、導光光学系３Ｇと、導光光学系３Ｂと、反射型液晶パネル（光変調部）４Ｒと、反射型液晶パネル（光変調部）４Ｇと、反射型液晶パネル（光変調部）４Ｂと、赤色光用光センサー３６Ｒと、緑色光用光センサー３６Ｇと、青色光用光センサー３６Ｂと、クロスダイクロイックプリズム５と、投写光学系６とを備える。青色光用照明装置５１は、一例として主にＰ偏光の青色光ＬＢを射出する。黄色光用照明装置５２は、一例として主にＰ偏光の黄色光ＬＹを射出する。
【００２０】
ダイクロイックミラー２５は、所定の波長領域の光束を反射し、他の波長領域の光束を透過する波長選択膜が基板上に形成された光学素子である。本実施形態では、ダイクロイックミラー２５は、一例として、黄色光用照明装置５２が射出した黄色光ＬＹのうち、予め決められた基準波長より波長が長い赤色光ＬＲを透過させ、予め決められた基準波長以下の波長の緑色光ＬＧを反射する。
【００２１】
導光光学系３Ｒは、ダイクロイックミラー２５が透過した赤色光ＬＲのうち、偏光ビームスプリッター２６で反射したＳ偏光の赤色光を赤色光用光センサー３６Ｒへ導く。一方、導光光学系３Ｒは、ダイクロイックミラー２５が透過した赤色光ＬＲのうち、偏光ビームスプリッター２６を透過したＰ偏光の赤色光を反射型液晶パネル４Ｒへ導く。また、導光光学系３Ｒは、反射型液晶パネル４Ｒから反射された赤色光のうち、偏光ビームスプリッター２６で反射したＳ偏光の赤色光をクロスダイクロイックプリズム５へ導く。
【００２２】
導光光学系３Ｇは、ダイクロイックミラー２５が反射した緑色光ＬＧのうち、偏光ビームスプリッター２７で反射したＳ偏光の緑色光を緑色光用光センサー３６Ｇへ導く。導光光学系３Ｇは、ダイクロイックミラー２５が反射した緑色光ＬＧのうち、偏光ビームスプリッター２７を透過したＰ偏光の緑色光を反射型液晶パネル４Ｇへ導く。また、導光光学系３Ｇは、反射型液晶パネル４Ｇから反射された緑色光のうち、偏光ビームスプリッター２７で反射したＳ偏光の緑色光をクロスダイクロイックプリズム５へ導く。
【００２３】
導光光学系３Ｂは、青色光用照明装置５１が射出した青色光ＬＢのうち、偏光ビームスプリッター２８で反射したＳ偏光の青色光を青色光用光センサー３６Ｂへ導く。導光光学系３Ｂは、青色光用照明装置５１が射出した青色光ＬＢのうち、偏光ビームスプリッター２８を透過したＰ偏光の青色光を反射型液晶パネル４Ｂへ導く。また、導光光学系３Ｂは、反射型液晶パネル４Ｂから反射された青色光のうち、偏光ビームスプリッター２８で反射したＳ偏光の青色光をクロスダイクロイックプリズム５へ導く。
【００２４】
反射型液晶パネル４Ｒは、導光光学系３Ｒにより導かれた赤色光を画像信号に応じて変調する。同様に、反射型液晶パネル４Ｇは、導光光学系３Ｇにより導かれた緑色光を画像信号に応じて変調する。同様に、反射型液晶パネル４Ｂは、導光光学系３Ｂにより導かれた青色光を画像信号に応じて変調する。
クロスダイクロイックプリズム５は、導光光学系３Ｒが導いた赤色光、導光光学系３Ｇが導いた緑色光、導光光学系３Ｂが導いた青色光を合成する。投写光学系６は、クロスダイクロイックプリズム５によって合成された光をスクリーンＳＣＲ等の投写面に投写する。
【００２５】
赤色光用光センサー３６Ｒは、導光光学系３Ｒが導いたＳ偏光の赤色光の明るさ（本実施形態では、一例として光強度）を検出する。赤色光用光センサー３６Ｒは、検出した赤色光の光強度を示す赤色光強度信号を制御部６４へ出力する。同様に、青色光用光センサー３６Ｂは、導光光学系３Ｂが導いたＳ偏光の青色光の明るさ（本実施形態では、一例として光強度）を検出する。青色光用光センサー３６Ｂは、検出した青色光の光強度を示す青色光強度信号を制御部６４に出力する。また同様に、緑色光用光センサー３６Ｇは、導光光学系３Ｇが導いたＳ偏光の緑色光の強度を検出する。緑色光用光センサー３６Ｇは、検出した緑色光の強度を示す緑色光強度信号を制御部６４に出力する。
【００２６】
青色光用照明装置５１は、青色レーザーダイオードアレイ５３と、平行化レンズ５４と、集光レンズ５５と、拡散板５６と、ピックアップレンズ５７と、平行化レンズ５８と、第１レンズアレイ９と、第２レンズアレイ１０と、偏光変換素子１１と、重畳レンズ１２とを備える。
【００２７】
青色レーザーダイオードアレイ５３は、例えば１２個の青色レーザーダイオード５９が４個×３個のアレイ状に配列されたものである。平行化レンズ５４は、個々の青色レーザーダイオード５９に対応する位置に、個々の青色レーザーダイオード５９と同じ数だけ設けられている。第１レンズアレイ９は、平行化レンズ５８から射出される照明光束を複数の部分光束に分割するための複数の第１小レンズ１３を有する。第２レンズアレイ１０は、第１レンズアレイ９の複数の第１小レンズ１３に対応する複数の第２小レンズ１４を有する。偏光変換素子１１は、第２レンズアレイ１０からの各部分光束を偏光方向の揃った略１種類の直線偏光に変換して射出する。重畳レンズ１２は、偏光変換素子１１から射出される各部分光束を被照明領域で重畳させる。
【００２８】
青色レーザーダイオード５９から射出された青色光ＬＢは、平行化レンズ５４により平行化された後、集光レンズ５５により集光され、拡散板５６上に照射されることで点光源が形成される。拡散板５６上の各点光源からの青色の拡散光は、ピックアップレンズ５７を透過して平行化レンズ５８により平行化された後、第１レンズアレイ９に入射する。
【００２９】
第１レンズアレイ９は、平行化レンズ５８からの平行光を複数の部分光束に分割する光束分割光学素子としての機能を有する。第１レンズアレイ９は、複数の第１小レンズ１３が照明光軸５１ａｘと直交する面内に複数行・複数列のマトリクス状に配列された構成を有する。図示による説明は省略するが、第１小レンズ１３の外形形状は、反射型液晶パネル４Ｂの画像形成領域の外形形状に関して相似形である。
【００３０】
第２レンズアレイ１０は、重畳レンズ１２とともに、第１レンズアレイ９の各第１小レンズ１３の像を反射型液晶パネル４Ｂの画像形成領域近傍に結像させる機能を有する。第２レンズアレイ１０は、第１レンズアレイ９と同様、複数の第２小レンズ１４が照明光軸５１ａｘに直交する面内に複数行・複数列のマトリクス状に配列された構成を有する。
【００３１】
偏光変換素子１１は、第１レンズアレイ９により分割された各部分光束の偏光方向を、偏光方向の揃った略１種類の直線偏光として射出する。偏光変換素子１１は、青色レーザーダイオード５９からの照明光のうち、一方の偏光（例えばＰ偏光）を透過し、他方の偏光（例えばＳ偏光）を照明光軸５１ａｘに垂直な方向に向けて反射する偏光分離層と、偏光分離層で反射された他方の偏光成分を有する光を照明光軸５１ａｘに平行な方向に反射する反射層と、偏光分離層を透過した一方の偏光成分を有する光を他方の偏光成分を有する光に変換する位相差板とを有する。なお、偏光変換素子１１を透過した光は、概ねＰ偏光となるが、全てがＰ偏光となるわけではなく、Ｓ偏光も混在している。
【００３２】
重畳レンズ１２は、第１レンズアレイ９、第２レンズアレイ１０および偏光変換素子１１を経た複数の部分光束を集光して反射型液晶パネル４Ｂの画像形成領域近傍に重畳させるための光学素子である。重畳レンズ１２は、重畳レンズ１２の光軸と青色光用照明装置５１の照明光軸５１ａｘとが略一致するように配置されている。なお、重畳レンズ１２は、複数のレンズを組み合わせた複合レンズで構成されていてもよい。
【００３３】
黄色光用照明装置５２は、励起用レーザーダイオードアレイ６０と、平行化レンズ５４と、集光レンズ５５と、蛍光体基板６１と、ピックアップレンズ５７と、平行化レンズ５８と、第１レンズアレイ９と、第２レンズアレイ１０と、偏光変換素子１１と、重畳レンズ１２とを備える。励起用レーザーダイオードアレイ６０は、例えば３０個の励起用レーザーダイオード６２が６個×５個のアレイ状に配列されたものである。励起用レーザーダイオード６２は、蛍光体を励起させるための励起光として、紫外光もしくは青色光を射出するものである。平行化レンズ５４は、個々の励起用レーザーダイオード６２に対応して設けられている。蛍光体基板６１は、紫外光、青色光等の励起光を受けて黄色光を発する蛍光体層が基板上に形成されたものである。
【００３４】
励起用レーザーダイオード６２から射出された各励起光は、平行化レンズ５４により平行化された後、集光レンズ５５により集光され、蛍光体基板６１上に照射されることで点光源が形成される。蛍光体基板６１上の各点光源から発光した黄色光ＬＹは、ピックアップレンズ５７を透過して平行化レンズ５８により平行化された後、第１レンズアレイ９に入射する。
【００３５】
黄色光用照明装置５２内の第１レンズアレイ９、第２レンズアレイ１０、偏光変換素子１１及び重畳レンズ１２はそれぞれ、青色光用照明装置５１内の第１レンズアレイ９、第２レンズアレイ１０、偏光変換素子１１及び重畳レンズ１２と同じ構成であるので、その説明を省略する。但し、黄色光用照明装置５２では、青色光用照明装置５１の照明光軸５１ａｘが照明光軸５２ａｘに変更されている点が異なる。
【００３６】
導光光学系３Ｂは、集光レンズ３２Ｂと、第１の絞り（入射角制限部材）３７と、偏光ビームスプリッター（偏光分離素子）２８と、第２の絞り３８と、偏光板３４Ｂとを備える。
集光レンズ３２Ｂは、重畳レンズ１２で集光された青色光ＬＢの各部分光束を各主光線に対して略平行な光束に変換する。第１の絞り３７は、集光レンズ３２Ｂが変換した略平行な光束を絞る。これにより、重畳レンズ１２で集光された青色光ＬＢは、集光レンズ３２Ｂおよび第１の絞り３７を介して偏光ビームスプリッター２８に入射する。このとき、青色光用照明装置５１からの照明光束は偏光変換素子１１によって概ね偏光方向の揃った略１種類の直線偏光（例えば、Ｐ偏光）に揃えられていることから、集光レンズ３２Ｂを通過した光は、偏光ビームスプリッター２８を通過して青色光用の反射型液晶パネル４Ｂに入射する。なお、他の集光レンズ３２Ｒ、集光レンズ３２Ｇも、集光レンズ３２Ｂと同様に構成されている。
【００３７】
偏光ビームスプリッター２８は、プレートタイプの偏光ビームスプリッターであって、透光性の基板に偏光分離膜を設けた構成からなる。偏光ビームスプリッター２８は、一方の偏光を透過し、他方の偏光を反射する機能を有する。本実施形態の場合、偏光ビームスプリッター２８は、一例としてＰ偏光を透過し、Ｓ偏光を反射する機能を有する。第２の絞り３８は、偏光ビームスプリッター２８が反射したＳ偏光の青色光の光束を絞る。これにより、第２の絞り３８により絞られた光が、青色光用光センサー３６Ｂに導かれる。
【００３８】
また、偏光ビームスプリッター２８は、反射型液晶パネル４Ｂから反射された青色光のうちＳ偏光の青色光を反射し、Ｐ偏光の青色光を透過させる。これにより、偏光ビームスプリッター２８で反射したＳ偏光の青色光が偏光板３４Ｂへ導かれる。偏光板３４Ｂは、導かれた青色光のうち、所定の方向に偏光した光だけを通過させる。これにより、所定の方向に偏光した青色光がクロスダイクロイックプリズム５へ導かれる。
なお、他の偏光ビームスプリッター（偏光分離素子）２６、偏光ビームスプリッター（偏光分離素子）２７も、上述の偏光ビームスプリッター２８と同様に構成されている。
【００３９】
上述したように、青色光用照明装置５１からの照明光束は偏光変換素子１１によって概ねＰ偏光に揃えられており、青色のＰ偏光は偏光ビームスプリッター２８を透過して青色光用の反射型液晶パネル４Ｂに入射する。ところが、実際には偏光変換素子１１を透過した光が全てＰ偏光に変換されているのではなく、Ｓ偏光も混在している。よって、偏光ビームスプリッター２８に入射したＳ偏光は、偏光ビームスプリッター２８で反射する。青色光の光路において、偏光ビームスプリッター２８で反射するＳ偏光の光路上に青色光用光センサー３６Ｂが備えられている。
【００４０】
導光光学系３Ｒは、集光レンズ３２Ｒと、第１の絞り３７と、偏光ビームスプリッター（偏光分離素子）２６と、第２の絞り（入射角制限部材）３８と、偏光板３４Ｒとを備える。
集光レンズ３２Ｒは、ダイクロイックミラー２５を透過した赤色光ＬＲの各部分光束を各主光線に対して略平行な光束に変換する。第１の絞り３７は、集光レンズ３２Ｒが変換した略平行な光束を絞る。これにより、ダイクロイックミラー２５を透過した赤色光ＬＲは、集光レンズ３２Ｒおよび第１の絞り３７を介して偏光ビームスプリッター２６に入射する。このとき、黄色光用照明装置５２からの照明光束は偏光変換素子１１によって概ね偏光方向の揃った略１種類の直線偏光（例えば、Ｐ偏光）に揃えられていることから、集光レンズ３２Ｒを通過した光は、偏光ビームスプリッター２８を通過して緑色光用の反射型液晶パネル４Ｂに入射する。
【００４１】
また、偏光ビームスプリッター２６は、一例としてＰ偏光を透過し、Ｓ偏光を反射する機能を有する。第２の絞り３８は、偏光ビームスプリッター２８が反射したＳ偏光の青色光の光束を絞る。これにより、第２の絞り３８により絞られた光が、赤色光用光センサー３６Ｒへ導かれる。
【００４２】
また、偏光ビームスプリッター２６は、反射型液晶パネル４Ｒから反射された赤色光のうちＳ偏光の赤色光を反射し、Ｐ偏光の赤色光を透過させる。これにより、偏光ビームスプリッター２６で反射したＰ偏光の赤色光が偏光板３４Ｒへ導かれる。偏光板３４Ｒは、導かれた赤色光のうち、所定の方向に偏光した光だけを通過させる。これにより、所定の方向に偏光した赤色光がクロスダイクロイックプリズム５へ導かれる。
【００４３】
導光光学系３Ｇは、集光レンズ３２Ｇと、第１の絞り３７と、偏光ビームスプリッター（偏光分離素子）２７と、第２の絞り（入射角制限部材）３８と、偏光板３４Ｇとを備える。
集光レンズ３２Ｇは、ダイクロイックミラー２５が反射した緑色光ＬＧの各部分光束を各主光線に対して略平行な光束に変換する。第１の絞り３７は、集光レンズ３２Ｇが変換した略平行な光束を絞る。これにより、ダイクロイックミラー２５が反射した緑色光ＬＧは、集光レンズ３２Ｇおよび第１の絞り３７を介して偏光ビームスプリッター２６に入射する。このとき、黄色光用照明装置５２からの照明光束は偏光変換素子１１によって概ね偏光方向の揃った略１種類の直線偏光（例えば、Ｐ偏光）に揃えられていることから、集光レンズ３２Ｇを通過した光は、偏光ビームスプリッター２７を通過して緑色光用の反射型液晶パネル４Ｇに入射する。
【００４４】
また、偏光ビームスプリッター２７は、一例としてＰ偏光を透過し、Ｓ偏光を反射する。第２の絞り３８は、偏光ビームスプリッター２７が反射したＳ偏光の緑色光の光束を絞る。これにより、第２の絞り３８により絞られた光が、緑色光用光センサー３６Ｇに導かれる。
【００４５】
また、偏光ビームスプリッター２７は、反射型液晶パネル４Ｇから反射された緑色光のうちＳ偏光の緑色光を反射し、Ｐ偏光の緑色光を透過させる。これにより、偏光ビームスプリッター２６で反射したＳ偏光の緑色光が偏光板３４Ｇへ導かれる。偏光板３４Ｇは、導かれた緑色光のうち、所定の方向に偏光した光だけを通過させる。これにより、所定の方向に偏光した緑色光がクロスダイクロイックプリズム５へ導かれる。
【００４６】
反射型液晶パネル４Ｒ、反射型液晶パネル４Ｇ、反射型液晶パネル４Ｂは、画像信号に応じて照明光を変調するものである。反射型液晶パネル４Ｒおよび反射型液晶パネル４Ｇは、黄色光用照明装置５２の被照明対象となる光変調部である。反射型液晶パネル４Ｂは、青色光用照明装置５１の被照明対象となる光変調部である。
反射型液晶パネル４Ｒ、反射型液晶パネル４Ｇ、及び反射型液晶パネル４Ｂは、液晶層を挟持する一対の基板と、光入射側の基板と対向する基板側に配置された反射層（もしくは反射電極）と、を備えている。また、反射型液晶パネル４Ｒ、反射型液晶パネル４Ｇ、反射型液晶パネル４Ｂの光入射側と反対側の面には、図１に示すように、それぞれ放熱フィン３３Ｒ、放熱フィン３３Ｇ、放熱フィン３３Ｂが配設されている。
【００４７】
クロスダイクロイックプリズム５は、偏光板３４Ｒ、偏光板３４Ｇ、及び偏光板３４Ｂから射出された色光毎に変調された光学像を合成し、カラー画像を形成する光学素子である。クロスダイクロイックプリズム５は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は青色光ＬＢを反射し、他方の界面に形成された誘電体多層膜は赤色光ＬＲを反射する。これらの誘電体多層膜によって青色光ＬＢおよび赤色光ＬＲは曲折され、クロスダイクロイックプリズム５を透過する緑色光ＬＧの進行方向と揃えられることにより、３つの色光が合成される。
クロスダイクロイックプリズム５から射出された光によって形成されるカラー画像は、投写光学系６によって拡大投写され、スクリーンＳＣＲ上で画像を形成する。
【００４８】
制御部６４は、赤色光用光センサー３６Ｒが検出した赤色光の強度に応じて、励起用レーザーダイオード６２の光量を調節する。制御部６４は、青色光用光センサー３６Ｂが検出した青色光の強度に応じて、青色レーザーダイオード５９の光量を調節する。また、制御部６４は、入力される映像を示す映像信号に応じて反射型液晶パネル４Ｒ、４Ｇ、４Ｂの各画素の反射率を制御する。
なお、制御部６４に入力される映像信号は、連続するフレームの画像を示す複数の画像信号でもよいし、一フレームの画像を示す画像信号でもよい。
【００４９】
なお、各実施形態の光学構成は図１、後述する図６及び図１０の光学構成に限ったものではない。すなわち、蛍光体基板６１は反射型のものでも良いし、拡散板の有無など細かな光学構成は単なる設計事項であって、これらには限定されない。また、赤（Ｒ）緑（Ｇ）青（Ｂ）３つのＬＥＤを光源とした構成であっても良い。また光変調部は、透過型液晶パネルやＤＭＤ（Ｄｉｇｉｔａｌ  Ｍｉｒｒｏｒ  Ｄｅｖｉｃｅ、ディジタルミラーデバイス）であっても良い。また、赤色光用光センサー３６Ｒ、緑色光用光センサー３６Ｇ及び青色光用光センサー３６Ｂの配置は図１、後述する図６及び図１０の位置に限定するものではなく、Ｙ光源およびＢ光源の光量が検出できる場所であればよい。
【００５０】
図２は、第１の実施形態における制御部６４の構成を示す概略ブロック図である。なお、同図では、制御部６４の他に、青色レーザーダイオード５９及び励起用レーザーダイオード６２を備える光源７１が示され、また赤色光用光センサー３６Ｒ、不図示の緑色光用光センサー３６Ｇ及び青色光用光センサー３６Ｂを備える光検出部７２が示されている。制御部６４は、液晶駆動部６６Ｒ、６６Ｇ、６６Ｂと、調節部７０とを備える。
調節部７０は、映像信号に応じて光源７１の出力を調節する。出力は、例えば、明るさである。明るさは、例えば光強度、輝度、または明度である。ここで、調節部７０は、信号処理部６５と、ＰＷＭ信号生成部６７と、励起用レーザーダイオード駆動部６８と、青色レーザーダイオード駆動部６９とを備える。
【００５１】
信号処理部６５は、映像信号と制御信号を受け取る。信号処理部６５は、受け取った映像信号に対して各種の画質補正処理を適用し、画質補正処理後の信号を液晶駆動部６６Ｒ、６６Ｇ、６６Ｂへ出力する。これにより、液晶駆動部６６Ｒ、６６Ｇ、６６Ｂは、信号処理部６５から入力された信号を用いて、それぞれ反射型液晶パネル４Ｒ、４Ｇ、４Ｂの反射率を制御する。
また、信号処理部６５は、受け取った制御信号に応じて、光源７１の調光制御のための処理を行う。ここで、制御信号とは、スクリーンＳＣＲ（図１）に表示されるメニュー画面（図示せず）で、ユーザーが入力したユーザー設定、またはカラーモードの表示に係る情報を含む信号である。これにより、光源７１の光量は、ユーザー設定、またはカラーモードに連動した明るさ及び色設定に基づいて制御される。さらに、信号処理部６５は、受け取った映像信号の明るさ（階調値）に適応して調光制御のための処理を行う。
【００５２】
続いて、信号処理部６５における調光制御のための処理の具体例について説明する。信号処理部６５は、赤色光用光センサー３６Ｒから赤色光強度信号を受け取る。そして、信号処理部６５は、例えば、赤色光強度信号が示す赤色光用光センサー現在値を補正する。信号処理部６５は、補正して得た補正後の赤色光用光センサー値を参照して励起用レーザーダイオード６２の発光のデューティーを示す励起用デューティー値ＤｕｔｙＹを決定する。信号処理部６５は、決定した励起用デューティー値ＤｕｔｙＹを示す情報をＰＷＭ信号生成部６７へ出力する。
【００５３】
信号処理部６５は、青色光用光センサー３６Ｂから青色光強度信号を受け取る。そして、信号処理部６５は、例えば、青色光強度信号が示す青色光用光センサー現在値を補正する。信号処理部６５は、補正して得た補正後の青色光用光センサー値を参照して青色レーザーダイオード５９の発光のデューティーを示す青色デューティー値ＤｕｔｙＢを決定する。信号処理部６５は、決定した青色デューティー値ＤｕｔｙＢを示す情報をＰＷＭ信号生成部６７へ出力する。
【００５４】
また、信号処理部６５は、励起用レーザーダイオード６２を定電流駆動する場合、駆動電流の振幅Ｙを示す駆動電流振幅情報を励起用レーザーダイオード駆動部６８へ出力する。これにより、励起用レーザーダイオード駆動部６８は、ＰＷＭ駆動の他に、振幅Ｙの定電流駆動でも励起用レーザーダイオード６２を駆動することができる。
また、同様に、信号処理部６５は、青色レーザーダイオード５９を定電流駆動する場合、駆動電流の振幅Ｂを示す駆動電流振幅情報を青色レーザーダイオード駆動部６９へ出力する。これにより、青色レーザーダイオード駆動部６９は、ＰＷＭ駆動の他に、振幅Ｂの定電流駆動でも青色レーザーダイオード５９を駆動することができる。
【００５５】
ＰＷＭ信号生成部６７は、励起用デューティー値ＤｕｔｙＹから励起用レーザーダイオード６２の明滅と対応したＰＷＭＹ信号を生成する。ＰＷＭ信号生成部６７は、生成したＰＷＭＹ信号を励起用レーザーダイオード駆動部６８へ出力する。
同様に、ＰＷＭ信号生成部６７は、青色デューティー値ＤｕｔｙＢから青色レーザーダイオード５９の明滅と対応したＰＷＭＢ信号を生成する。ＰＷＭ信号生成部６７は、生成したＰＷＭＢ信号を青色レーザーダイオード駆動部６９へ出力する。
【００５６】
励起用レーザーダイオード駆動部６８は、ＰＷＭＹ信号の波形に基づいた励起用レーザーダイオード６２のＯＮ／ＯＦＦ制御を行う。なお、励起用レーザーダイオード駆動部６８は、信号処理部６５から入力された駆動電流振幅情報が示す振幅Ｙで、励起用レーザーダイオード６２の定電流駆動を行ってもよい。
また、青色レーザーダイオード駆動部６９は、ＰＷＭＢ信号の波形に基づいた青色レーザーダイオード５９のＯＮ／ＯＦＦ制御を行う。なお、青色レーザーダイオード駆動部６９は、信号処理部６５から入力された駆動電流振幅情報が示す振幅Ｂで、青色レーザーダイオード５９の定電流駆動を行ってもよい。
【００５７】
図３は、第１の実施形態における信号処理部６５の構成を示す概略ブロック図である。信号処理部６５は、予め決められたタイミングで、赤色光用光センサー値と青色光用光センサー値を補正する。ここで信号処理部６５は、波長変化推定部８０と、赤色光用乗算部８４と、デューティー決定部８５と、偏光変化推定部９０と、青色光用乗算部９４とを備える。
【００５８】
波長変化推定部８０は、赤色光ＬＲの波長変化を推定する。ここで、波長変化推定部８０は、赤色光用光センサー基準値記憶部８１と、赤色光減衰比算出部８２と、赤色光用補正係数決定部８３とを備える。赤色光用光センサー基準値記憶部８１には、赤色光用光センサー基準値が記憶されている。赤色光用光センサー基準値は、例えばプロジェクター５０出荷時の赤色光用光センサー値である。
【００５９】
赤色光減衰比算出部８２は、赤色光用光センサー基準値記憶部８１から赤色光用光センサー基準値を読み出す。赤色光減衰比算出部８２は、赤色光用光センサー現在値を赤色光用光センサー基準値で割ることで赤色光減衰比を算出する。そして、赤色光減衰比算出部８２は赤色光減衰比を示す情報を赤色光用補正係数決定部８３へ出力する。
赤色光用補正係数決定部８３は、赤色光減衰比に応じて赤色光用補正係数を決定する。具体的には、例えば赤色光用補正係数決定部８３は、赤色光減衰比と赤色光用補正係数とが関連付けられたテーブルが記憶されているものとする。その場合に、赤色光用補正係数決定部８３は、例えば、赤色光減衰比算出部８２から入力された情報が示す赤色光減衰比に対応する赤色光用補正係数をテーブルから読み出すことで赤色光用補正係数を決定する。これにより、赤色光減衰比に応じた赤色光用補正係数が決定される。赤色光用補正係数決定部８３は、決定した赤色光用補正係数を示す情報を赤色光用乗算部８４へ出力する。
【００６０】
赤色光用乗算部８４は、赤色光用光センサー現在値に赤色光用補正係数決定部８３から入力された情報が示す赤色光用補正係数を乗じることで補正後の赤色光用光センサー値を算出する。これにより、黄色光用照明装置５２（図１）が出射する黄色光ＬＹの波長変化による赤色光用光センサー現在値の誤差が補正される。
【００６１】
このように、波長変化推定部８０は、赤色光用光センサー値が低下した際には、蛍光体基板６１に入射される光量が減り、蛍光体基板６１から出力される光の波長が変化したものと推定する。その結果、波長変化推定部８０は、赤色光用光センサー３６Ｒの分光感度特性と、人間の目の分光感度特性である比視感度関数との違いによって生じる、投写画像の赤色光（またはＧ光、Ｙ光）の輝度値と、赤色光用光センサー３６Ｒの出力との誤差を補正する赤色光用補正係数を求める。この赤色光用補正係数は、偏光分離素子などの光学素子の波長特性に起因して生じる、投写画像の赤色光（またはＧ光、Ｙ光）の輝度値と、赤色光用光センサー３６Ｒの出力との誤差も含めて補正することができる。そして、波長変化推定部８０は、補正係数を赤色光用光センサー現在値に乗算することで補正後の赤色光用光センサー値を得ることができる。
【００６２】
デューティー決定部８５は、補正後の赤色光用光センサー値と補正後の青色光用光センサー値に応じて励起用デューティー値ＤｕｔｙＹと青色デューティー値ＤｕｔｙＢを決定する。その際、デューティー決定部８５は、赤の光強度と青の光強度が予め決められた目標の比率になるように、励起用デューティー値ＤｕｔｙＹと青色デューティー値ＤｕｔｙＢを決定する。その際、デューティー決定部８５は、例えば、弱い光強度のレーザーダイオードにあわせて強い光強度のレーザーダイオードの強度を変更するように、励起用デューティー値ＤｕｔｙＹと青色デューティー値ＤｕｔｙＢを決定する。デューティー決定部８５は、励起用デューティー値ＤｕｔｙＹを示す情報と青色デューティー値ＤｕｔｙＢを示す情報をＰＷＭ信号生成部６７へ出力する。これにより、デューティー決定部８５は、励起用レーザーダイオード６２の発光量と青色レーザーダイオード５９の発光量を制御することができる。
【００６３】
なお、青色レーザーダイオード５９の光出力に余裕を持たせておいて、青色レーザーダイオード５９の光量が下がった場合に、デューティー決定部８５が青色レーザーダイオード５９の光強度を強くするように青色デューティー値ＤｕｔｙＢを決定してもよい。
また、デューティー決定部８５は、例えば、強い光強度のレーザーダイオードにあわせて弱い光強度のレーザーダイオードの強度を変更するように、励起用デューティー値ＤｕｔｙＹと青色デューティー値ＤｕｔｙＢを決定してもよい。
なお、本実施形態では、一例として光源７１の色バランス補正のために光センサー値を取得する際には、予め決められたシーケンスが適用されることを前提としており、映像信号に適応した調光制御などは実施されないものとする。
【００６４】
偏光変化推定部９０は、青色光ＬＢの偏光変化を推定する。ここで、偏光変化推定部９０は、青色光用光センサー基準値記憶部９１と、青色光減衰比算出部９２と、青色光用補正係数決定部９３とを備える。
青色光用光センサー基準値記憶部９１は、青色光用光センサー基準値が記憶されている。青色光用光センサー基準値は、例えばプロジェクター５０出荷時の青色光用光センサー値である。
【００６５】
青色光減衰比算出部９２は、青色光用光センサー基準値記憶部９１から青色光用光センサー基準値を読み出す。青色光減衰比算出部９２は、青色光用光センサー現在値を青色光用光センサー基準値で割ることで青色光減衰比を算出する。そして、青色光減衰比算出部９２は青色光減衰比を示す情報を青色光用補正係数決定部９３へ出力する。
【００６６】
青色光用補正係数決定部９３は、青色光減衰比算出部９２から入力された情報が示す青色光減衰比に応じて青色光用補正係数を決定する。具体的には、例えば青色光用補正係数決定部９３には、青色光減衰比と青色光用補正係数とが関連付けられたテーブルが記憶されているものとする。その場合に、青色光用補正係数決定部９３は、例えば、青色光減衰比算出部９２から入力された情報が示す赤色光減衰比に対応する青色光用補正係数を読み出すことで青色光用補正係数を決定する。これにより、青色光減衰比に応じた青色光用補正係数が決定される。青色光用補正係数決定部９３は、決定した青色光用補正係数を示す情報を青色光用乗算部９４へ出力する。
【００６７】
青色光用乗算部９４は、青色光用光センサー現在値に青色光用補正係数決定部９３から入力された情報が示す青色光用補正係数を乗じることで補正後の青色光用光センサー値を算出する。これにより、青色光ＬＢの偏光変化に起因する青色光用光センサー現在値の誤差が補正される。
【００６８】
このように、偏光変化推定部９０は、青色光用センサー値が低下した際には、偏光変換素子１１（図１）の温度特性等により、偏光変換後の偏光状態が変化したものと推定する。そして、偏光変化推定部９０は、青色レーザーダイオード５９の発光量の変化以上に青色光用光センサー現在値が変化する誤差を補正する補正係数を決定する。そして、偏光変化推定部９０は、決定した補正係数を青色光用光センサー現在値に乗算することで、補正後の青色光用光センサー値を得ることができる。
【００６９】
本実施形態では、波長変化推定部８０および偏光変化推定部９０の双方ともに、光センサー値の減衰率に基づいて光センサー値を補正しているので、これらの光センサーの誤差要因を一つのテーブルに統合し、当該一つのテーブルを用いて各補正値を求めてもよい。また、本実施形態では、一例として基準値からの減衰率を用いて補正値を決定したが、光センサー値の絶対値を用いて補正値を決定してもよい。上述の補正により、プロジェクター５０は光センサー出力と対応する照明装置（例えば、青色光用照明装置５１）からの出射光量とを高い精度で対応付けることができる。
【００７０】
図４は、調節部７０（図２）による補正前と補正後における、光センサーの出力と光センサーの減衰率との関係を比較したグラフの一例である。同図の縦軸は光センサー出力で、横軸は光センサーの減衰率である。ここで、光センサーの減衰率は、光センサー出力の現在値を光センサー出力の基準値で割った値に１００を乗じた値である。同図の例では、調節部７０が光センサーの値を補正する前は、下に凸の曲線Ｌ４１を示すのに対し、補正後は、直線Ｌ４２を示す。すなわち、補正後には、光センサーの出力が減衰率に対し線形となる。
【００７１】
図５は、第１の実施形態における制御部の処理の流れの一例を示すフローチャートである。制御部６４は、ステップＳ１０１〜Ｓ１０６と、ステップＳ１０７〜Ｓ１１２の処理を並行して行う。
（ステップＳ１０１）まず、赤色光減衰比算出部８２は、赤色光用光センサー現在値を赤色光用光センサー基準値で割ることで、赤色光減衰比を算出する。
（ステップＳ１０２）次に、赤色光用補正係数決定部８３は、赤色光減衰比に応じて赤色光用補正係数を決定する。
（ステップＳ１０３）次に、赤色光用乗算部８４は、赤色光用光センサー現在値に赤色光用補正係数を乗算して、補正後の赤色光用光センサー値を生成する。
（ステップＳ１０４）次に、デューティー決定部８５は、補正後の赤色光用光センサー値から、励起用デューティー値ＤｕｔｙＹを算出する。
（ステップＳ１０５）次に、ＰＷＭ信号生成部６７は、励起用デューティー値ＤｕｔｙＹを用いて、励起用レーザーダイオード６２の明滅と対応したＰＷＭＹ信号を生成する。
（ステップＳ１０６）次に、励起用レーザーダイオード駆動部６８は、ＰＷＭＹ信号を用いて、励起用レーザーダイオード６２を駆動する。
【００７２】
（ステップＳ１０７）まず、青色光減衰比算出部９２は、青色光用光センサー現在値を青色光用光センサー基準値で割ることで、青色光減衰比を算出する。
（ステップＳ１０８）次に、青色光用補正係数決定部９３は、青色光減衰比に応じて青色光用補正係数を決定する。
（ステップＳ１０９）次に、青色光用乗算部９４は、青色光用の光センサー値に青色光用補正係数を乗算して、補正後の青色光用光センサー値を生成する。
（ステップＳ１１０）次に、デューティー決定部８５は、補正後の青色光用光センサー値から、青色デューティー値ＤｕｔｙＢを算出する。
（ステップＳ１１１）次に、ＰＷＭ信号生成部６７は、青色デューティー値ＤｕｔｙＢを用いて、青色レーザーダイオード５９の明滅と対応したＰＷＭＢ信号を生成する。
（ステップＳ１１２）次に、青色レーザーダイオード駆動部６９は、ＰＷＭＢ信号を用いて、青色レーザーダイオード５９を駆動する。以上で、本フローチャートの処理を終了する。
【００７３】
以上、赤色光用光センサー３６Ｒは、励起用レーザーダイオード６２の発光量を検出することはできるが、色度変化を検出することはできない。よって、励起用レーザーダイオード６２の波長が変化した場合に、光センサーの分光感度特性の影響により、励起用レーザーダイオード６２の発光量の変化割合とは異なる変化割合で光センサー出力変化割合が得られる。その結果、画像を所望の明るさで表示できないという課題があった。
それに対し、第１の実施形態において、波長変化推定部８０（図３）が、励起用レーザーダイオード６２の波長変化による光センサー出力変化割合の誤差を補正する赤色光用補正係数を算出する。そして、赤色光用乗算部８４は、赤色光用光センサー現在値に算出された赤色光用補正係数を乗じることで赤色光用光センサー現在値を補正する。これによって、補正後の赤色光用光センサー値に応じて励起用デューティー値ＤｕｔｙＹが決定されるので、励起用レーザーダイオード６２が補正後の赤色光用光センサー値に応じたデューティーで駆動される。このようにして調節部７０は、励起用レーザーダイオード６２の光量を調節することで、表示する画像の明るさを所望の明るさに近づけることができる。
【００７４】
また、光学素子の温度特性等の影響により、光の偏光状態が変化することで、青色レーザーダイオード５９の発光量の変化割合とは異なる光センサー出力変化割合が得られる。その結果、画像を所望の明るさで表示できないという課題があった。
それに対し、第１の実施形態において、偏光変化推定部９０が、青色レーザーダイオード５９の偏光変化による光センサー出力変化割合の誤差を補正する青色光用補正係数を算出する。そして、青色光用乗算部９４は、青色光用光センサー現在値に算出された青色光用補正係数を乗じることで青色光用光センサー現在値を補正する。これによって、補正後の青色光用光センサー値に応じて青色デューティー値ＤｕｔｙＢが決定されるので、青色レーザーダイオード５９が補正後の青色光用光センサー値に応じたデューティーで駆動される。このようにして調節部７０は、青色レーザーダイオード５９の光量を調節することで、表示する画像の明るさを所望の明るさに近づけることができる。
【００７５】
以上のことから、第１の実施形態において、調節部７０は、光の状態（例えば、波長、偏光）を示す光状態情報を推定し、該推定した光状態情報に基づいて、光源７１の出力を調節する。偏光ビームスプリッター２６は、励起用レーザーダイオード６２から入射された光を異なる偏光の光に分離する。また、光検出部７２が備える赤色光用光センサー３６Ｒは、偏光ビームスプリッター２６が分離した光のうち、スクリーンに投影する光とは異なる光の明るさに関する光明るさ情報を検出する。また、偏光ビームスプリッター２８は、青色レーザーダイオード５９から入射された光を異なる偏光の光に分離する。同様に、光検出部７２が備える青色光用光センサー３６Ｂは、偏光ビームスプリッター２８が分離した光のうち、スクリーンに投影する光とは異なる光の明るさに関する光明るさ情報を検出する。これにより、プロジェクター５０は、光検出部７２がスクリーンに投影されない偏光の光について光明るさ情報を検出するので、スクリーンに投影する光の光量を下げずに光明るさ情報を検出することができる。また、偏光ビームスプリッター２６はＰ偏光の光のみを透過させてＰ偏光の光のみを投影するためにプロジェクター５０が備えているものである。そのため光検出部７２は、偏光ビームスプリッター２６が反射し、投影には用いないＳ偏光の光を検出するように構成することで、プロジェクター５０は光明るさ情報を検出するためだけに新たな構成を付加せずに光明るさ情報を検出することができる。
【００７６】
調節部７０は、光状態情報に基づいて、光検出部７２が検出した光明るさ情報を補正し、該補正した光明るさ情報を参照して光源７１の出力を調節する。また、調節部７０は、光検出部７２が検出した光明るさ情報を参照して光の波長変化を推定し、該推定した光の波長変化に基づいて光源７１の出力を調節する。これにより、調節部７０は、光の波長変化による光源の出力のずれを調整することで、表示する画像の明るさを所望の明るさに近づけることができる。
また、調節部７０は、光検出部７２が検出した光明るさ情報を参照して光の偏光状態の変化を推定し、該推定した光の偏光状態の変化に基づいて光源７１の出力を調節する。これにより、プロジェクター５０は、光の偏光変化による光源の出力のずれを調整することで、表示する画像の明るさを所望の明るさに近づけることができる。
【００７７】
＜第２の実施形態＞
続いて、第２の実施形態について説明する。光源７１の波長変化の特性は、発光デューティー値を制御したときと光源７１の出力が低下したときとで異なる。例えば、発光デューティー値を制御することで、蛍光体基板６１の温度が変化するが、ピーク光量（光密度）は変化しない。励起用レーザーダイオード６２の出力が低下した際には、蛍光体基板６１の温度とピーク光量の両方が変化する。これによって、発光デューティー値を制御したときと光源７１の出力が低下したときとで光の波長変化の現れ方が変わる。
【００７８】
そこで、第２の実施形態によるプロジェクター５０ｂは、以下の点で第１の実施形態におけるプロジェクター５０に対し、以下の点で異なる。プロジェクター５０ｂは励起用レーザーダイオード６２の発光デューティー値（以下、黄色光源発光Ｄｕｔｙともいう）に基づいて第１の補正係数を決定する。その上で、プロジェクター５０ｂは発光デューティー値による光量変化以外の光量変化割合を、（センサー現在値／センサー基準値）／Ｄｕｔｙ比で求める。ここで、Ｄｕｔｙ比は、発光デューティー値の１００分の１である。例えば発光デューティー値が５０％の場合、０．５である。プロジェクター５０ｂは発光デューティー値による光量変化以外の光量変化割合に応じて第２の補正係数を決定する。プロジェクター５０ｂは、第１の補正係数と第２の補正係数を加算した値を光センサー値に乗じることで光センサー値を補正する。このような構成とすることで、プロジェクター５０ｂは第１の実施形態よりもさらに高精度に光センサー出力を補正することができる。
【００７９】
なお、Ｄｕｔｙ比で割っているが、これはＤｕｔｙ比と明るさの関係が線形とみなせる場合に適用可能である。より正確には、プロジェクター５０ｂはＤｕｔｙ比と明るさ比の関係を表すテーブルから、Ｄｕｔｙ比に対応した明るさ比を求め、明るさ比で規格化することが好ましい。これにより、より高精度に光センサー出力を補正することができる。
【００８０】
図６は、第２の実施形態におけるプロジェクター５０ｂの構成を示す概略構成図である。なお、図１と共通する要素には同一の符号を付し、その具体的な説明を省略する。第２の実施形態におけるプロジェクター５０ｂの構成は、第１の実施形態におけるプロジェクター５０の構成に対して、制御部６４が制御部６４ｂに変更されたものとなっている。
【００８１】
図７は、第２の実施形態における制御部６４ｂの構成を示す概略ブロック図である。なお、図２と共通する要素には同一の符号を付し、その具体的な説明を省略する。第２の実施形態における制御部６４ｂの構成は、第１の実施形態における制御部６４の構成に対して、調節部７０の信号処理部６５が調節部７０ｂの信号処理部６５ｂに変更されたものとなっている。
【００８２】
図８は、第２の実施形態における信号処理部６５ｂの構成を示す概略ブロック図である。図３と共通する要素には同一の符号を付し、その具体的な説明を省略する。信号処理部６５ｂは、第１の実施形態の信号処理部６５と異なり、一例としてリアルタイムで、赤色光用光センサー値と青色光用光センサー値を補正する。ここで信号処理部６５ｂは、波長変化推定部８０ｂと、乗算部８４と、デューティー決定部８５と、偏光変化推定部９０ｂと、青色光波長変化推定部１００と、青色光用加算部１０２と、青色光用乗算部９４とを備える。
【００８３】
波長変化推定部８０ｂは、赤色光用光センサー基準値記憶部８１と、赤色光減衰比算出部８２ｂと、第１補正係数決定部８６と、第２補正係数決定部８７と、赤色光用加算部８８とを備える。
赤色光減衰比算出部８２ｂは、例えば（赤色光用光センサー現在値／赤色光用光センサー基準値）／Ｄｕｔｙ比に従って、発光デューティー値による赤色光量変化以外の赤色光量変化割合を算出する。赤色光減衰比算出部８２ｂは、算出した上記赤色光量変化割合を示す情報を第２補正係数決定部８７に出力する。
【００８４】
第１補正係数決定部８６は、入力された黄色光源発光Ｄｕｔｙに応じて第１補正係数を決定する。黄色光源発光Ｄｕｔｙは、励起用レーザーダイオード６２のデューティーである。第１補正係数は、黄色光源発光Ｄｕｔｙに対して概ね線形な関係である。これは波長変化の要因が温度のみのためである。第１補正係数決定部８６は、決定した第１補正係数を示す情報を赤色光用加算部８８へ出力する。
【００８５】
続いて、第１補正係数決定部８６の具体的な処理の一例について説明する。第１補正係数決定部８６は例えば黄色光源発光Ｄｕｔｙと第１補正係数とが関連付けられたテーブルＴ１を記憶している。そして、第１補正係数決定部８６は、例えば入力された黄色光源発光Ｄｕｔｙに応じた第１補正係数をテーブルＴ１から読み出すことで第１補正係数を決定する。
【００８６】
ここでテーブルＴ１は、例えば実際に励起用レーザーダイオード６２のデューティーを変えながら赤色光用光センサー現在値とスクリーン輝度との誤差を評価することで求められる。このとき、第１補正係数と後述する第２補正係数とが加算された値を用いて赤色光用光センサー現在値を補正するため、第１補正係数を用いて赤色光用光センサー現在値を補正しない場合、第１補正係数が０となるようにテーブルＴ１が作成される。
【００８７】
第２補正係数決定部８７は、赤色光減衰比算出部８２ｂから入力された情報が示す赤色光量変化割合に応じて第２補正係数を決定する。ここで、第２補正係数は、赤色光用光センサー現在値に対して２次関数的な関係を持つ。これは波長変化の要因が温度と光密度の二つにあるためである。第２補正係数決定部８７は、決定した第２補正係数を示す情報を赤色光用加算部８８へ出力する。
【００８８】
続いて、第２補正係数決定部８７の具体的な処理の一例について説明する。第２補正係数決定部８７は例えば発光デューティー値による赤色光量変化以外の赤色光量変化割合と第２補正係数とが関連付けられたテーブルＴ２を記憶しているものとする。そして、第２補正係数決定部８７は、例えば入力された上記赤色光量変化割合に応じた第２補正係数をテーブルＴ２から読み出すことで第２補正係数を決定する。
ここで、第２補正係数よりも第１補正係数の方が大きい。第１補正係数は２要因の誤差の打消し効果がないからである。
【００８９】
赤色光用加算部８８は、第１補正係数決定部８６から入力された情報が示す第１補正係数と第２補正係数決定部８７から入力された情報が示す第２補正係数とを加算する。赤色光用加算部８８は、加算して得た加算補正係数を示す情報を赤色光用乗算部８４へ出力する。
【００９０】
赤色光用乗算部８４は、赤色光用光センサー現在値に赤色光用加算部８８から入力された情報が示す加算補正係数を乗じ、乗じることで得られた値を補正後の赤色光用光センサー値とする。これにより、信号処理部６５ｂは、赤色光用光センサー現在値に黄色光源発光Ｄｕｔｙに応じた補正と、黄色光源発光Ｄｕｔｙによる赤色光量変化以外の赤色光量変化割合に応じた補正を施すことができる。そして、赤色光用乗算部８４は、得た補正後の赤色光用光センサー値を示す情報をデューティー決定部８５へ出力する。
【００９１】
偏光変化推定部９０ｂは、青色光ＬＢの偏光変化を推定する。ここで、偏光変化推定部９０ｂは、青色光用光センサー基準値記憶部９１と、青色光減衰比算出部９２ｂと、第４補正係数決定部９６とを備える。
青色光減衰比算出部９２ｂは、例えば（青色光用光センサー現在値／青色光用光センサー基準値）／青色光源Ｄｕｔｙ比に従って、発光デューティー値による青色光量変化以外の青色光量変化割合を算出する。ここで、青色光源Ｄｕｔｙ比は、青色レーザーダイオード５９のデューティー値（以下、青色光源発光Ｄｕｔｙともいう）を１００で割った値である。青色光減衰比算出部９２ｂは、算出した上記青色光量変化割合を示す情報を第４補正係数決定部９６へ出力する。
【００９２】
第４補正係数決定部９６は、青色光減衰比算出部９２ｂから入力された情報が示す青色光量変化割合に応じた第４補正係数を決定する。ここで、第４補正係数は、赤色光用光センサー値に対して２次関数的な関係を持つ。これは偏光状態変化が支配的であるためである。第２補正係数決定部８７は、決定した第４補正係数を示す情報を青色光用加算部１０２へ出力する。
【００９３】
第４補正係数決定部９６の具体的な処理の一例について説明する。第４補正係数決定部９６は例えば発光デューティー値による青色光量変化以外の青色光量変化割合と第４補正係数とが関連付けられたテーブルＴ４を記憶しているものとする。そして、第４補正係数決定部９６は、例えば入力された上記青色光量変化割合に応じた第４補正係数をテーブルＴ４から読み出すことで第４補正係数を決定する。
【００９４】
青色光波長変化推定部１００は、青色光源発光Ｄｕｔｙに基づいて青色光ＬＢの波長変化を推定する。青色光波長変化推定部１００は、第３補正係数決定部１０１を備える。
第３補正係数決定部１０１は、青色光源発光Ｄｕｔｙに応じて、第３補正係数を算出する。ここで、第３補正係数は、青色光源発光Ｄｕｔｙに対して２次関数的な関係を持つ。これは波長変化と偏光状態変化の２要因が複合しているからである。第３補正係数決定部１０１は、算出した第３補正係数を示す情報を青色光用加算部１０２へ出力する。
ここで、第４補正係数よりも第３補正係数が大きい。これはＰＷＭ調光時は温度変化による波長変化が大きいからである。
【００９５】
第３補正係数決定部１０１の具体的な処理の一例について説明する。第３補正係数決定部１０１は例えば青色光源発光Ｄｕｔｙと第３補正係数とが関連付けられたテーブルＴ３を記憶しているものとする。そして、第３補正係数決定部１０１は、例えば入力された上記青色光量変化割合に応じた第３補正係数をテーブルＴ３から読み出すことで第３補正係数を決定する。
【００９６】
ここでテーブルＴ３は、例えば実際に青色レーザーダイオード５９のデューティーを変えながら青色光用光センサー値とスクリーン輝度との誤差を評価することで求められる。このとき、第３補正係数と後述する第４補正係数との加算した値を用いて補正するため、第３補正係数を用いて青色光用光センサー値を補正しない場合、第３補正係数が０となるようにテーブルＴ３が作成される。
【００９７】
青色光用加算部１０２は、第３補正係数決定部１０１から入力された情報が示す第３補正係数と第４補正係数決定部９６から入力された情報が示す第４補正係数を加算する。青色光用加算部１０２は、加算して得た第２の加算補正係数を青色光用乗算部９４へ出力する。
青色光用乗算部９４は、青色光用光センサー現在値に青色光用加算部１０２から入力された情報が示す第２の加算補正係数を乗じ、乗じることで得た値を補正後の青色光用光センサー値とする。そして、青色光用乗算部９４は、得た補正後の青色光用光センサー値をデューティー決定部８５へ出力する。
【００９８】
図９は、第２の実施形態における制御部６４ｂの処理の流れの一例を示すフローチャートである。制御部６４ｂは、ステップＳ２０１〜Ｓ２０７と、ステップＳ２０８〜Ｓ２１４の処理を並行して行う。
（ステップＳ２０１）まず、赤色光減衰比算出部８２ｂは、発光デューティー値による赤色光量変化以外の赤色光量変化割合を算出する。
（ステップＳ２０２）次に、第１補正係数決定部８６は、黄色光源発光Ｄｕｔｙに応じて第１補正係数を決定する。それと並行して第２補正係数決定部８７は、赤色光量変化割合に応じて第２補正係数を決定する。
（ステップＳ２０３）次に、赤色光用加算部８８は第１補正係数と第２補正係数を加算することで加算補正係数を算出する。
（ステップＳ２０４）次に、赤色光用乗算部８４は、赤色光用光センサー現在値に加算補正係数を乗じることで、補正後の赤色光用光センサー値を算出する。
ステップＳ２０５〜ステップＳ２０７の処理は、ステップＳ１０４〜Ｓ１０６の処理と同じであるので、その説明を省略する。
【００９９】
（ステップＳ２０８）次に、青色光減衰比算出部９２ｂは、発光デューティー値による青色光量変化以外の青色光量変化割合を算出する。
（ステップＳ２０９）次に、第３補正係数決定部１０１は、青色光源発光Ｄｕｔｙに応じて第３補正係数を決定する。それと並行して、第４補正係数決定部９６は、青色光量変化割合に応じて第４補正係数を決定する。
（ステップＳ２１０）次に、青色光用加算部１０２は第３補正係数と第４補正係数を加算して第２の加算補正係数を算出する。
（ステップＳ２１１）次に、青色光用乗算部９４は、青色光用光センサー現在値に第２の加算補正係数を乗じることで補正後の青色光用光センサー値を算出する。
ステップＳ２１２〜ステップＳ２１４の処理は、ステップＳ１１０〜Ｓ１１２の処理と同じであるので、その説明を省略する。以上で、本フローチャートの処理を終了する。
【０１００】
以上、第２の実施形態において、信号処理部６５ｂは、黄色光源発光Ｄｕｔｙに応じた補正と、黄色光源発光Ｄｕｔｙによる赤色光量変化以外の赤色光量変化割合に応じた補正を赤色光用光センサー現在値に施すことができる。同様に、信号処理部６５ｂは、青色光源発光Ｄｕｔｙに応じた補正と、青色光源発光Ｄｕｔｙによる青色光量変化以外の青色光量変化割合に応じた補正を青色光用光センサー現在値に施すことができる。
これにより、プロジェクター５０ｂは第１の実施形態よりもさらに高精度に光センサー出力を補正することができる。その結果、第１の実施形態よりも高精度に、表示する画像の明るさを所望の明るさに近づけることができる。また、プロジェクター５０ｂは映像に適応して発光デューティーを変更させる制御中であっても、赤色光用光センサー現在値または青色光用光センサー現在値を用いて光源光量を補正することができる。
【０１０１】
＜第３の実施形態＞
続いて、第３の実施形態について説明する。第３の実施形態におけるプロジェクター５０ｃは、温度センサー（温度検出部）１１０を備える。プロジェクター５０ｃは、温度センサー値の基準値からの変化に応じて、光センサー出力を補正する。プロジェクター５０ｃは、温度センサーを用いることにより、光源７１の出力の劣化による温度変化以外の温度変化である環境温度変化も含めて、光源７１の色バランスを補正することができる。
【０１０２】
図１０は、第３の実施形態におけるプロジェクター５０ｃの構成を示す概略構成図である。なお、図１と共通する要素には同一の符号を付し、その具体的な説明を省略する。第３の実施形態におけるプロジェクター５０ｃの構成は、第１の実施形態におけるプロジェクター５０の構成に対して、温度センサー１１０が追加され、制御部６４が制御部６４ｃに変更されたものとなっている。
【０１０３】
温度センサー１１０は、一例として冷却用ファン（図示せず）の排気流の排気口付近に配置されているものとする。なお、温度センサーは、吸気口付近に配置されていてもよい。温度センサー１１０は、周囲の環境温度を計測し、計測した環境温度（以下、温度センサー現在値ともいう）を示す温度情報を制御部６４ｃへ出力する。
【０１０４】
図１１は、第３の実施形態における制御部６４ｃの構成を示す概略ブロック図である。なお、図２と共通する要素には同一の符号を付し、その具体的な説明を省略する。第３の実施形態における制御部６４ｃの構成は、第１の実施形態における制御部６４の構成に対して、調節部７０の信号処理部６５が調節部７０ｃの信号処理部６５ｃに変更されたものとなっている。
【０１０５】
図１２は、第３の実施形態における信号処理部６５ｃの構成を示す概略ブロック図である。図３と共通する要素には同一の符号を付し、その具体的な説明を省略する。信号処理部６５ｃは、第１の実施形態の信号処理部６５と同様に、一例として予め決められたタイミングで、赤色光用光センサー値と青色光用光センサー値を補正する。第３の実施形態における信号処理部６５ｃの構成は、第１の実施形態における信号処理部６５の構成に対して、波長変化推定部８０が波長変化推定部８０ｃに、偏光変化推定部９０が偏光変化推定部９０ｃに変更されたものになっている。
【０１０６】
波長変化推定部８０ｃは、赤色光用温度センサー基準値記憶部８９と、第１温度変化比算出部８２ｃと、赤色光用補正係数決定部８３ｃとを備える。
赤色光用温度センサー基準値記憶部８９には、赤色光用温度センサー基準値が記憶されている。
第１温度変化比算出部８２ｃは、赤色光用温度センサー基準値記憶部８９から赤色光用温度センサー基準値を読み出す。また、第１温度変化比算出部８２ｃは、温度センサー１１０から温度情報を取得する。第１温度変化比算出部８２ｃは、温度情報が示す温度センサー現在値を赤色光用温度センサー基準値で割り、割ることで得た値を第１温度変化比として算出する。第１温度変化比算出部８２ｃは、算出した第１温度変化比を示す情報を赤色光用補正係数決定部８３ｃへ出力する。
【０１０７】
赤色光用補正係数決定部８３ｃは、第１温度変化比算出部８２ｃから入力された情報が示す第１温度変化比に応じて赤色光用補正係数を決定する。具体的には、例えば赤色光用補正係数決定部８３ｃには、第１温度変化比と赤色光用補正係数とを関連付けたテーブルが予め記憶されているものとする。そして、赤色光用補正係数決定部８３ｃは、例えば第１温度変化比算出部８２ｃから入力された第１温度変化比に対応する赤色光用補正係数をそのテーブルから読み出すことで赤色光用補正係数を決定する。そして、赤色光用補正係数決定部８３ｃは、決定した赤色光用補正係数を示す情報を赤色光用乗算部８４へ出力する。
【０１０８】
偏光変化推定部９０ｃは、青色光用温度センサー基準値記憶部９５と、第２温度変化比算出部９２ｃと、青色光用補正係数決定部９３ｃとを備える。
青色光用温度センサー基準値記憶部９５には、青色光用温度センサー基準値が記憶されている。
第２温度変化比算出部９２ｃは、青色光用温度センサー基準値記憶部９５から青色光用温度センサー基準値を読み出す。また、第２温度変化比算出部９２ｃは、温度センサー１１０から温度情報を取得する。第１温度変化比算出部８２ｃは、温度情報が示す温度センサー現在値を青色光用温度センサー基準値で割り、割ることで得た値を第２温度変化比として算出する。第２温度変化比算出部９２ｃは、算出した第２温度変化比を示す情報を青色光用補正係数決定部９３ｃへ出力する。
【０１０９】
青色光用補正係数決定部９３ｃは、第２温度変化比算出部９２ｃから入力された情報が示す第２温度変化比に応じて青色光用補正係数を決定する。具体的には、例えば青色光用補正係数決定部９３ｃには、第２温度変化比と青色光用補正係数とを関連付けたテーブルが予め記憶されているものとする。そして、青色光用補正係数決定部９３ｃは、例えば第２温度変化比算出部９２ｃから入力された第２温度変化比に対応する青色光用補正係数をそのテーブルから読み出すことで青色光用補正係数を決定する。そして、青色光用補正係数決定部９３ｃは、決定した青色光用補正係数を示す情報を青色光用乗算部９４へ出力する。
【０１１０】
図１３は、第３の実施形態における制御部６４ｃの処理の流れの一例を示すフローチャートである。制御部６４は、ステップＳ３０１〜Ｓ３０６と、ステップＳ３０７〜Ｓ３１２の処理を並行して行う。
（ステップＳ３０１）まず、第１温度変化比算出部８２ｃは、温度センサー現在値を赤色光用温度センサー基準値で割ることで第１温度変化比を得る。
（ステップＳ３０２）次に、赤色光用補正係数決定部８３ｃは、第１温度変化比に応じて赤色光用補正係数を算出する。
ステップＳ３０３〜ステップＳ３０６の処理は、ステップＳ１０３〜Ｓ１０６の処理と同じであるので、その説明を省略する。
【０１１１】
（ステップＳ３０７）次に、第２温度変化比算出部９２ｃは、温度センサー現在値を赤
色光用温度センサー基準値で割ることで第２温度変化比を得る。
（ステップＳ３０８）次に、青色光用補正係数決定部９３ｃは、第２温度変化比に応じて青色光用補正係数を算出する。
ステップＳ３０９〜ステップＳ３１２の処理は、ステップＳ１０９〜Ｓ１１２の処理と同じであるので、その説明を省略する。以上で、本フローチャートの処理を終了する。
【０１１２】
以上、第３の実施形態において、信号処理部６５ｃは、温度センサー現在値に応じて赤色光用光センサー現在値を補正する。同様に、信号処理部６５ｃは、温度センサー現在値に応じて青色光用光センサー現在値を補正する。信号処理部６５ｃは、補正後の赤色光用光センサー値と補正後の青色光用光センサー値とを参照して、励起用デューティー値ＤｕｔｙＹと青色デューティー値ＤｕｔｙＢを決定する。そして、調節部７０ｃは、決定した励起用デューティー値ＤｕｔｙＹと青色デューティー値ＤｕｔｙＢとを参照して、光源７１の出力を調節する。
これにより、プロジェクター５０ｃは、環境温度変化に起因した光の波長シフトによる光センサー出力誤差を補正することができる。調節部７０ｃは、その補正後の光センサー出力に応じて光源７１の出力を調節するので、第１の実施形態と同様に、プロジェクター５０ｃは、表示する画像の明るさを所望の明るさに近づけることができる。
【０１１３】
以上のことから、第３の実施形態において、プロジェクター５０ｃは、環境温度を示す環境温度情報を検出する温度検出部を更に備える。調節部７０ｃは、温度検出部が検出した環境温度情報を参照して、上記光状態情報を推定し、該推定した光状態情報に基づいて光源７１の出力を調節する。これにより、プロジェクター５０は、温度情報を参照して光状態情報を推定することができるので、温度変化に起因した光の波長シフトによる光明るさ情報の誤差を補正することができる。
【０１１４】
なお、第１の実施形態または第２の実施形態のプロジェクターは、それぞれの構成に加えて、補正部７３ｃを備える構成であってもよい。その場合、第１の実施形態におけるプロジェクター５０は、例えば、補正部７３の前後に補正部７３ｃが接続され、補正部７３ｃが赤色光用光センサー値及び青色光用光センサー値を更に補正してもよい。また、第２の実施形態におけるプロジェクター５０ｂは、例えば、補正部７３ｂの前後に補正部７３ｃが接続され、補正部７３ｃが赤色光用光センサー値及び青色光用光センサー値を更に補正してもよい。すなわち、調節部（７０または７０ｂ）は、光検出部が検出した光明るさ情報と温度センサー１１０が検出した環境温度情報とを参照して、光状態情報を推定する。これにより、光源７１の発光量に起因した波長シフトによる光センサー出力誤差を補正しつつ、環境温度変化に起因した光源７１から出射する光の波長シフトによる光センサー出力誤差を補正することができる。そのため、第１の実施形態または第２の実施形態よりも更に高精度に光センサー出力を補正することができる。その結果、第１の実施形態または第２の実施形態よりも更に高精度に、表示する画像の明るさを所望の明るさに近づけることができる。
【０１１５】
また、本実施形態では、温度センサー１１０が環境温度を検出したが、これに限ったものではない。プロジェクター５０ｃは、第１の温度センサーと第２の温度センサーを備えてもよい。第１の温度センサーは、励起用レーザーダイオード６２（以下、Ｙ光源ともいう）については、蛍光体基板６１周辺の温度を検出してもよい。蛍光体基板６１の温度によって光の波長シフト量が変化するからである。第２の温度センサーは、青色レーザーダイオード５９（以下、Ｂ光源ともいう）については、偏光変換素子１１周辺の温度を検出してもよい。偏光変換素子１１の温度によって光の偏光状態が変化するからである。その場合、第１の温度センサーは、蛍光体基板６１周辺の温度の現在値を第１温度変化比算出部８２ｃに出力する。また、赤色光用温度センサー基準値記憶部８９には、例えば蛍光体基板６１周辺の温度の基準値が予め記憶されている。第１温度変化比算出部８２ｃは、蛍光体基板６１周辺の温度の現在値を蛍光体基板６１周辺の温度の基準値で割ることで赤色光用補正係数を算出してもよい。また、第２の温度センサーは、偏光変換素子１１周辺の現在値を第２温度変化比算出部９２ｃに出力する。また、青色光用温度センサー基準値記憶部９５には、例えば偏光変換素子１１周辺の温度の基準値が予め記憶されている。第２温度変化比算出部９２ｃは、偏光変換素子１１周辺の温度の現在値を偏光変換素子１１周辺の温度の基準値で割ることで青色光用補正係数を算出してもよい。
【０１１６】
また、第１の温度センサーは、Ｙ光源については、蛍光体基板６１周辺の温度に限らず、励起用レーザーダイオード６２、偏光変換素子１１、偏光ビームスプリッター２６、または偏光ビームスプリッター２７などの光学素子周辺の温度を検出してもよい。
また、第２の温度センサーは、Ｂ光源については、偏光変換素子１１周辺の温度に限らず、青色レーザーダイオード５９、蛍光体基板６１、または偏光ビームスプリッター２８などの光学素子周辺の温度を検出してもよい。
【０１１７】
なお、各実施形態の制御部（６４、６４ｂまたは６４ｃ）の各処理を実行するためのプログラムをコンピューター読み取り可能な記録媒体に記録して、当該記録媒体に記録されたプログラムをコンピューターシステムに読み込ませ、実行することにより、制御部（６４、６４ｂまたは６４ｃ）に係る上述した種々の処理を行ってもよい。
【０１１８】
なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【０１１９】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【０１２０】
以上、本発明の実施形態について図面を参照して詳述したが、具体的な構成はこの実施形態に限られるものではない。各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【符号の説明】
【０１２１】
３Ｒ、３Ｇ、３Ｂ  導光光学系
４Ｒ、４Ｇ、４Ｂ  反射型液晶パネル（光変調部）
５  クロスダイクロイックプリズム
６  投写光学系
９  第１レンズアレイ
１０  第２レンズアレイ
１１  偏光変換素子
１２  重畳レンズ
２５  ダイクロイックミラー
２６、２７、２８  偏光ビームスプリッター（偏光分離素子）
３２Ｒ、３２Ｇ、３２Ｂ  集光レンズ
３４Ｒ、３４Ｇ、３４Ｂ  偏光板
３６Ｒ  赤色光用光センサー
３６Ｇ  緑色光用光センサー
３６Ｂ  青色光用光センサー
３７  第１の絞り（入射角制限部材）
３８  第２の絞り（入射角制限部材）
５０、５０ｂ  プロジェクター
５１  青色光用照明装置
５２  黄色光用照明装置
５３  青色レーザーダイオードアレイ
５４  平行化レンズ
５５  集光レンズ
５６  拡散板
５７  ピックアップレンズ
５８  平行化レンズ
５９  青色レーザーダイオード
６１  蛍光体基板
６２  励起用レーザーダイオード
６４、６４ｂ、６４ｃ  制御部
６５、６５ｂ、６５ｃ  信号処理部
６６  液晶駆動部
６７  ＰＷＭ信号生成部
６８  励起用レーザーダイオード駆動部
６９  青色レーザーダイオード駆動部
７０、７０ｂ  調節部
７１  光源
７２  光検出部
７３、７３ｂ、７３ｃ  補正部
８０、８０ｂ、８０ｃ  波長変化推定部
８１  赤色光用光センサー基準値記憶部
８２、８２ｂ  赤色光減衰比算出部
８２ｃ  第１温度変化比算出部
８３、８３ｃ  赤色光用補正係数決定部
８４  赤色光用乗算部
８５  デューティー決定部
８６  第１補正係数決定部
８７  第２補正係数決定部
８８  赤色光用加算部
８９  赤色光用温度センサー基準値記憶部
９０、９０ｂ、９０ｃ  偏光変化推定部
９１  青色光用光センサー基準値記憶部
９２、９２ｂ  青色光減衰比算出部
９２ｃ  第２温度変化比算出部
９３、９３ｃ  青色光用補正係数決定部
９４  青色光用乗算部
９５  青色光用温度センサー基準値記憶部
１００  青色光波長変化推定部
１０１  第３補正係数決定部
１０２  青色光用加算部
１１０  温度センサー（温度検出部）
【図１】
2014132288.tif 000003
【図２】
2014132288.tif 000004
【図３】
2014132288.tif 000005
【図４】
2014132288.tif 000006
【図５】
2014132288.tif 000007
【図６】
2014132288.tif 000008
【図７】
2014132288.tif 000009
【図８】
2014132288.tif 000010
【図９】
2014132288.tif 000011
【図１０】
2014132288.tif 000012
【図１１】
2014132288.tif 000013
【図１２】
2014132288.tif 000014
【図１３】
2014132288.tif 000015